(57)【要約】【目的】アルミニウム合金製の外枠であって軽量化され且つ自立性の高い外枠を提供すること。【構成】外枠（１）の枠本体部（１Ａ）を上下の横枠（２，３）と左右の縦枠（４，５）によって矩形に形成すると共に、該枠本体部（１Ａ）の下部に下枠板（６）を横設して小枠部（１Ｂ）を一体に形成し、強度を高める。その一方、前記小枠部（１Ｂ）の前面に上突出片（１１）と左右の突出片（１３，１４）と下突出片（１２）によって装飾板取付枠（１Ｃ）を一体に形成して前記枠本体部（１Ａ）の前面に突出させ、且つ該装飾板取付枠に装飾板（１８）を装着して前記枠本体部の底面積を拡張し、自立性を高める。【選択図】図５
2007175387.tif 000002
【特許請求の範囲】
【請求項１】
アルミニウム合金を材料に形成される外枠であって、該外枠は枠本体部を上下の横枠と左右の縦枠によって縦長の矩形枠に形成すると共に、該枠本体部の下部に前記下横枠に並行して下枠板を横設して横長矩形状をなす小枠部を形成する一方、前記小枠部を構成する前記下枠板左右の縦枠、下横枠の各前端面から前方に向けてそれぞれの外側面に対して各外壁面が内方に後退するようにして上突出片、左右の突出片及び下突出片をそれぞれ突設し、前記小枠部の前面にこの小枠部より小型の横長矩形状をなす装飾板取付枠を突出状に形成し、該装飾板取付枠に前面側から背面を開放する浅い箱形に形成してなる装飾板を被せ、固着し形成してなることを特徴としたパチンコ機の外枠。
【請求項２】
請求項１の記載において、装飾板取付枠には上突出片と下突出片との間に所要間隔をおいて縦の補強用柱を渡してなることを特徴としたパチンコ機の外枠。
【請求項３】
請求項２の記載において、補強用柱の間には補強板を一体に形成してなることを特徴としたパチンコ機の外枠。
【請求項４】
請求項２の記載において、装飾板取付枠には左右の突出片と、これらの突出片のいずれか一方、若しくは双方と対立して設けられる補強用柱との間を開放し、小枠部内部に連通する収容空部を形成してなることを特徴としたパチンコ機の外枠。    
【請求項５】
請求項１の記載において、装飾板は前面板部の左右のいずれか一方、若しくは双方に開口部を形成し、該開口部に臨ませて前記前面板部の背面にスピーカーを装着することを特徴としたパチンコ機の外枠。
【請求項６】
請求項５の記載において、装飾板に装着するスピーカーは装飾板取付枠を通して小枠部内に収められることを特徴としたパチンコ機の外枠。    
【請求項７】
請求項１の記載において、装飾板は背面部に係止爪を有する弾性係止片を一体に備え、該弾性係止片を装飾板取付枠に係脱自由に掛止め装着することを特徴としたパチンコ機の外枠。
【請求項８】
請求項７の記載において、装飾板に備える弾性係止片は装飾板取付枠に渡す補強用柱に係止することを特徴としたパチンコ機の外枠。
【発明の詳細な説明】
【技術分野】
【０００１】
本発明は、パチンコ機の外枠に関する。
【背景技術】
【０００２】
周知のようにパチンコ機は、その本体部分を機構部品類を装備する前枠（内枠とも称される。）と、この前枠を支える外枠から構成し、外枠を遊技場（パチンコホール）に設備する所謂「島」と称される取付台に固定することによって設置される。
従来、この外枠は広く木製の板を材料に形成されて来たが、材料の入手の問題、製造コストの問題、製品精度の問題などからこれに代る材料に係る合成樹脂製の外枠や、アルミニウム合金製の外枠が提供されるに至っている。
【０００３】
合成樹脂製の外枠は、材料の成形性から多くの提案があり、実用化も計られているが、やゝ強度的に不充分さがあることから同じく成形性に優れるアルミニウム合金製の外枠がこれに代るものとして提供され、実用化されるに至っている。その様なものとして、例えば特許文献１や特許文献２に記載されるもの等がある。
【特許文献１】特開２００４−１８８０６５号公報。
【特許文献２】特開２００４−１８８０６６号公報。
【０００４】
特許文献１に記載の外枠１２は、金属材料で成形するとされるものであるが、具体的にはアルミニウムとされるもので、このアルミニウムの剛性と成形性を活かして外枠を肉薄に形成し、これに伴って電子部品の実装スペースを拡大する、としたものである。
つまり、この特許文献１は外枠１２の形成に当ってアルミニウムの材料特性をフルに活用し木製外枠には期待できない製品としたことが開示されている。
また、特許文献２には、外枠１２をアルミニウムを材料に成形することに加えてこの外枠１２に突部１２０を設けて外枠の安定性を確保した遊技機が得られることが開示されている。
【０００５】
これらの文献は、いずれもアルミニウムを材料にして外枠が成形されることが記載されるが、外枠の構成部分として重要な位置にある下部の装飾部分については、従来の木製外枠における構造を踏襲するものとなっている。強いて言うならば特許文献１において、保持板１０８に設ける係合穴１０８Ａに下飾り部材１１０の係合ボスを係合させ、下飾り部材１１０を保持板１０８に固定する、との記載があるが、具体的には上記係合ボスを上記係合穴１０８Ａにどの様に固定するかは示されていない。
要するに、上記文献に記載される外枠は、木製に代えてアルミニウムを材料にして外枠を形成することを開示するものとなっているのである。
【発明の開示】
【発明が解決しようとする課題】
【０００６】
本発明は、この様な事情に鑑みこれを改善する目的で開発されたものであり、その主たる目的はアルミニウム合金の成形性を活用して安定した外枠の成形を図ると同時に、この外枠に備える装飾板の取付けを改善し、木製外枠からは得られない装飾性の高い外枠を得ること、また、パチンコ機の保管乃至運搬時における単独状態においての自立性を高めて安定性に優れ、且つ取扱いが容易なパチンコ機の外枠を提供しようとするものである。  
【課題を解決するための手段】
【０００７】
本発明は上記の目的を達成するため、アルミニウム合金を材料に形成される外枠であって、該外枠は枠本体部を上下の横枠と左右の縦枠によって縦長の矩形枠に形成すると共に、該枠本体部の下部に前記下横枠に並行して下枠板を横設して横長矩形状をなす小枠部を形成する一方、前記小枠部を構成する前記下枠板左右の縦枠、下横枠の各前端面から前方に向けてそれぞれの外側面に対して各外壁面が内方に後退するようにして上突出片、左右の突出片及び下突出片をそれぞれ突設し、前記小枠部の前面にこの小枠部より小型の横長矩形状をなす装飾板取付枠を突出し状に形成し、該装飾板取付枠に前面側から背面を開放する浅い箱形に形成してなる装飾板を被せ、固着し形成してなることを特徴としたパチンコ機の外枠を提供することにある。
【０００８】
上記本発明に係る外枠は、前記装飾板を除く枠本体部、その下部に形成される小枠部、及び装飾板取付枠の三者をアルミニウム合金によって一体成形し、別体に形成する装飾板を前記装飾板取付枠に組付けることによって完成することになる。
【０００９】
また、本発明は上記外枠にあって、前記装飾板取付枠には上突出片と下突出片との間に所要間隔をおいて縦の補強用柱を渡してなることを特徴としたパチンコ機の外枠を提供することにある。
そして更に本発明は、前記補強用柱の間には補強板を一体に形成してなることを特徴としたパチンコ機の外枠を提供することにある。
【００１０】
本発明において、前記縦の補強用柱及び前記補強板はいずれも装飾板取付枠を補強することを通して実質的にこの装飾板取付枠を構成する上下、並びに左右の各突片の肉厚を減少させることになり、且つ同時に枠本体部の剛性を高めるものとなる。
【００１１】
また本発明は、前記装飾板取付枠には左右の突出片と、これらの突出片のいずれか一方、若しくは双方と対立して設けられる前記補強用柱との間を開放し、小枠部の内部に連通する収容空部を形成してなることを特徴としたパチンコ機の外枠を提供することにある。
そして、また本発明は、前記装飾板は前面板部の左右のいずれか一方、若しくは双方に開口部を形成し、該開口部に臨ませて前記前面板部の背面にスピーカーを装飾することを特徴としたパチンコ機の外枠を提供することにある。
【００１２】
また本発明は、前記装飾板に装着するスピーカーは装飾板取付枠を通して小枠部内に収められることを特徴としたパチンコ機の外枠を提供することにある。    
【００１３】
また本発明は、前記装飾板は背面部に係止爪を有する弾性係止片を一体に備え、該弾性係止片を装飾板取付枠に係脱自由に掛止め装着することを特徴としたパチンコ機の外枠を提供することにあり、更に前記装飾板に備える弾性係止片は装飾板取付枠に渡す補強用柱に係止することを特徴としたパチンコ機の外枠を提供することにある。
【発明の効果】
【００１４】
上記の如く構成される本発明によれば、縦長矩形に形成される枠本体部に対してその下部に装飾板取付枠を一体に有する小枠部を形成することから枠本体部全体の剛性を高めることができるものとなる。従って、この剛性が高められる分、外枠を構成する枠部分の肉厚を減じて材料節減と軽量化を図ることが可能である。
【００１５】
また本発明は、上記小枠部に形成する装飾板取付枠を枠本体部の下横枠より前方に突き出す状態に形成し、この取付枠によって実質的に上記下横枠の前後の幅員を増幅することになる。このため、外枠の自立性が高まることになり、パチンコ機の保管時、或は移動時における安定性が増し、転倒を有効に防止することになる。
次に、本発明に係る外枠について実施の形態を通して更に説明し、その他の特徴を併せて説明することにする。
【発明を実施するための最良の形態】
【００１６】
図１は本発明に係る外枠の正面図であり、図２は右側面図、図３は図１のＡ−Ａ線断面図、図４は図３のイ部の拡大図であり、図５は分解斜視図、図６は装飾板を外した外枠の正面図、図７は図６のＢ−Ｂ線拡大断面図である。
図示するように外枠１は、上下の横枠２，３と左右の縦枠４，５によって縦長の矩形状に形成される枠本体部１Ａと、この枠本体部１Ａの下部に下枠板６を渡すことによって枠の内部の一部を仕切ることを通して形成される横長矩形状をなす小枠部１Ｂと、更にこの小枠部１Ｂの前面に一体に形成される装飾板取付枠１Ｃとを含み一体に構成される。
【００１７】
上記枠本体部１Ａは、所要板厚を有する上下の横枠２，３と、左右の縦枠４，５相互をその端部同士を一体に連続させて矩形の枠体に形成している。そして、左右の縦枠４，５の各内側面には前端縁との間に図示しない前枠の縁部を受け入れる間隔を置いて補強リブとなる突条７，８を縦に設け、更にこの縦枠４，５には上記突条７，８の後方に連続させて上下に間隔を置いて複数の補強リブ９‥、１０‥を設けてあり、これらによって縦枠４，５の剛性を高め、可能な範囲で縦枠の肉厚を減じて軽量化が図られている。
【００１８】
前記下枠板６は、左右の縦枠４，５間に渡ることで、枠本体部１Ａの下部に小枠部１Ｂを形成する。そして、この下枠板６の前端面から前方に向けて上突出片１１を、前記下横枠３、そして左右の縦枠４，５の各前端面から下突出片１２、左右の突出片１３，１４をそれぞれ突設して横長矩形状をなす装飾板取付枠１Ｃを形成している。
尚、下枠板６の上面には全長に亘って補強リブとなる突条６ａを突設し、その左右の両端部を前記突条７，８に接続してこれら３つの突条６ａ，７，８によって図示しない前枠の閉塞時の隙間を塞ぎ、且つ不正防止用障害壁を構築してビアノ線等による不正行為を防止するようにしてある。
【００１９】
この装飾板取付枠１Ｃは、従って、前記小枠部１Ｂの前面、更に言えば枠本体部１Ａの前面から前方に突出した状態で設けられる。
この取付枠１Ｃは、上突出片１１と下突出片１２を除く左右の突出片１３，１４の各外壁面を左右の縦枠４，５の外側面よりそれぞれ僅かに内方に後退位置させて前記小枠部１Ｂの外形寸法より小型の矩形に形成し、この寸法差を利用して後述する装飾板を嵌付け、その縁板の肉厚でこの寸法差を埋め、取付枠１Ｃと枠本体部１Ａとの外形寸法が実質的に揃うようにしてある。
【００２０】
図中、１５は装飾板取付枠１Ｃを補強するため上突出片１１と下突出片１２との間に間隔をおいて配置した補強用柱であり、１６はこの補強用柱の間に渡した補強板である。
この実施の形態では、縦に４本の補強用柱１５を配置し、このうち左右の柱とこれらと対立する左突出片１３、右の突出片１４との間には上記補強板１６の配置を省略し、開放状態のまゝとして、これによって前記小枠部１Ｂに連通する収容空間１７，１７を形成してここに後述するスピーカーの格納部を設けるようにしてある。
【００２１】
一方、図中１８は前記装飾板取付枠１Ｃに装着し、この前面を被う装飾板である。
図１２に示すように、この装飾板１８は上記装飾板取付枠１Ｃの外形に適合した浅い横長矩形状をなす箱形に形成してあり、前面板部１９には立体的な飾りを施すと共に、この前面板部の左右にはスピーカー２０を臨ませる窓２１，２１を開口させてある。
そして、前面板部１９の背面から外に向けて爪２２を立てる弾性係止片２３，２３を立設し、この係止片を取付枠１Ｃの補強板１６に開設する係止穴２４，２４に掛け止めることで装着できるようにしてある。
【００２２】
上記、装飾板１８は、合成樹脂を材料に一体成形されるもので、この装飾板の背後から窓２１に向けてスピーカー２０を臨ませ固定する。
この装飾板１８は、上記スピーカー２０の組付け後、前記装飾板取付枠１Ｃの前面に臨ませ、押付けるようにして嵌め付けることによって前記背面から突き出す弾性係止片２３，２３を補強板１６の係止穴２４，２４に突入させ、それぞれの爪を穴の縁に掛止めることで装着することになる。
【００２３】
そして、この装飾板１８の取付け作業に併せて背面側から突き出すスピーカー２０を前記収容空間１７，１７に突き入れ、これに格納すると同時に、装飾板１８の周囲の縁板１８ａを取付枠１Ｃを構成する上の突出片１１、左右の突出片１３，１４の各外側に、そして下の突出片１２の上面に添わせて嵌め付け、これを被覆する。
この装飾板１８の装着により枠本体部１Ａの外形より左右を狭めて小さく形成された装飾板取付枠１Ｃは、外側面を揃えることになり、一体化すると共に前方への突出しによって外枠１の枠本体部１Ａの底面積を拡張させることになる。
【００２４】
尚、図中２５，２６は前枠を蝶着するため外枠に一体に設けたヒンジ部である。
上のヒンジ部２５は上横枠２の左端前縁部に、また下のヒンジ部２６は下枠板６の左端前縁部（図５においては突条６ａの左端前面部）にそれぞれ設けて上下対向するようにしてあり、下のヒンジ部２６に突設する軸ピン２７を前枠の図示しない蝶着片に突き入れ軸承させ、また前枠の図示しない上の蝶着片に備える軸ピンを前記上のヒンジ部２５に軸承させてこれを回動自由に枢着支持することになる。
また、２８は右縦枠５の内側面に設けた前枠受けであり、２９，３０は下枠板６上に設けた前枠の下縁を受ける受台である。
【００２５】
本発明の外枠は、上述の様に構成されるものであることから、枠本体部１Ａは左右の縦枠４，５にそれぞれ突条７，８及び補強リブ９，１０を配置することによって剛性が保持されることから板厚を削減した状態にしても充分な強度を得ることができ、また同時に、この枠本体部１Ａには左右の縦枠４，５間に渡す下枠板６によって下部に小枠部１Ｂを形成するため、更に強度が高められるものとなる。
【００２６】
この構造の強化に加え、本発明では前記小枠部１Ｂの前面に上下、左右の小突片１１〜１４を突設して矩形の装飾板取付枠１Ｃを一体に形成することから更に安定した強度を得ることができるものとなっており、しかもこの取付枠１Ｃには補強用柱１５と補強板１６が配置される結果、極めて高い強度を発揮するものとなっている。
【００２７】
その一方、上記装飾板取付枠１Ｃは枠本体部１Ａより前方に突出して形成される構造に係り、これによって枠本体部１Ａの底部を形成する下横枠３の前縁を該取付枠１Ｃの下突出片１２の突き出しによって前方に延長し、実質的に上記下横枠３の前後の幅を拡張して枠本体部１Ａの底面積を広げることから、外枠の自立性を高めることになり、保管，運搬時の転倒を有効に防止する効果を発揮する。
また、この様に装飾板取付枠１Ｃを前方に突き出して設けることから、これに嵌合し装着する装飾板を目立つ状態に置くことができると共に、装飾板自体を保護することもできる効果がある。
【００２８】
また本発明における上記装飾板１８は、一体に備える係止片２３を介して装飾板取付枠の係止穴２４に押込む操作で止着固定できることから装着が容易であり、且つ堅固で安定した固定ができる利点がある。
【図面の簡単な説明】
【００２９】
【図１】本発明に係る外枠の正面図。
【図２】外枠の右側面図。
【図３】図１のＡ−Ａ線断面図。
【図４】図３のイ部における拡大図。
【図５】装飾板を外した状態における外枠の斜視図。
【図６】装飾板を外した状態における外枠の正面図。
【図７】図６のＢ−Ｂ線拡大断面図。
【図８】図６のＣ−Ｃ線拡大断面図。
【図９】図６のＤ−Ｄ線拡大断面図。
【図１０】図６のＥ−Ｅ線拡大断面図。
【図１１】装飾板の正面図。
【図１２】装飾板の平面図。
【図１３】装飾板の右側面図である。
【符号の説明】
【００３０】
１            外枠
１Ａ          枠本体部
１Ｂ          小枠部
１Ｃ          装飾板取付枠
２            上横枠
３            下横枠
４            左縦枠
５            右縦枠
６            下枠板
７，８        突条
９，１０      補強リブ
１１          上小突片
１２          下小突片
１３          左小突片
１４          右小突片
１５          縦の補強用柱
１６          補強板
１８          装飾板
１７          収容空部
１８ａ        収容空部の縁板
２３          係止片
２４          係止穴
【図１】
2007175387.tif 000003
【図２】
2007175387.tif 000004
【図３】
2007175387.tif 000005
【図４】
2007175387.tif 000006
【図５】
2007175387.tif 000007
【図６】
2007175387.tif 000008
【図７】
2007175387.tif 000009
【図８】
2007175387.tif 000010
【図９】
2007175387.tif 000011
【図１０】
2007175387.tif 000012
【図１１】
2007175387.tif 000013
【図１２】
2007175387.tif 000014
【図１３】
2007175387.tif 000015